(57)【特許請求の範囲】
【請求項１】
照明器具であって、
所定の光軸に沿って光を出射する光源と、
前記光軸上に配置され、前記光が入射される光入射部、及び、当該光入射部から入射された前記光を出射する光出射部を有する光学系と、
前記光出射部の周縁に配置され、かつ、前記光出射部から出射された前記光の一部を散乱させる透光性の散乱部材と、
前記散乱部材の周囲に配置されるセードとを備え、
前記セードは、前記光出射部の周縁に隣接して配置される下底部を有し、
前記散乱部材は、前記下底部における前記光の出射側に隣接して配置される端部を有し、
前記端部は、前記光源側から見た場合に、前記下底部の外部に突出する突出部を有し、
前記照明器具は、前記散乱部材を着脱して利用可能であり、
前記突出部は、前記下底部の前記散乱部材側の端面より、前記光源側に突出する
照明器具。
【請求項２】
前記突出部は、前記光軸に向かって突出する
請求項１に記載の照明器具。
【請求項３】
前記突出部は、前記光出射部と接する
請求項１又は２に記載の照明器具。
【請求項４】
前記セードは、非透光性材料で構成される
請求項１〜３のいずれか１項に記載の照明器具。
【発明の詳細な説明】
【技術分野】
【０００１】
本発明は、散乱部材を備える照明器具に関する。
【背景技術】
【０００２】
ＬＥＤ（Ｌｉｇｈｔ  Ｅｍｉｔｔｉｎｇ  Ｄｉｏｄｅ）スポットライトやＬＥＤユニバーサルダウンライトなど、様々な配光バリエーションのある照明装置が提案されている。これらの照明装置を用いると、例えば店舗や食品スーパー、居住空間などにおいて、用途に合わせた光の演出（空間演出）を行うことができる。
【０００３】
従来、ＬＥＤスポットライトにおいて、スポット的に照射対象物を照らすだけでなく、光軸と直交する方向への散乱光の配光を制御する技術が提案されている（例えば、特許文献１）。例えば、当該技術を適用したＬＥＤスポットライトを用いて、食品スーパーなどにおいて、生鮮食品をスポット的に照らすことにより生鮮食品の色見を鮮やかに演出し、かつ、光軸と直交する方向への散乱光を出射させて、店舗内の賑わい感を演出することができる。
【先行技術文献】
【特許文献】
【０００４】
【特許文献１】特開２０１３−１６４９８７号公報
【発明の概要】
【発明が解決しようとする課題】
【０００５】
特許文献１に記載されたスポットライトにおいては、フレネルレンズと散乱部材とが一体化された光学部材を使用している。そのため、特許文献１に記載されたスポットライトでは、散乱光が不要な場合には、散乱部材を遮光部材で覆うなどの処置が必要となり、散乱光が必要な場合と不要な場合とにおいて使い分け難い。そこで、散乱光が不要な場合に散乱部材を取り外すことができるように、散乱部材とフレネルレンズとを分離可能とすることが考えられる。しかしながら、その場合、フレネルレンズから散乱部材へと到達する光が減少するおそれがある。
【０００６】
本発明は、上述の事情を鑑みてなされたもので、散乱部材を含み、散乱部材を着脱して利用可能な照明器具であって、十分な散乱光を出射できる照明器具を提供することを目的とする。
【課題を解決するための手段】
【０００７】
上記目的を達成するために、本発明に係る照明器具の一態様は、所定の光軸に沿って光を出射する光源と、前記光軸上に配置され、前記光が入射される光入射部、及び、当該光入射部から入射された前記光を出射する光出射部を有する光学系と、前記光出射部の周縁に配置され、かつ、前記光出射部から出射された前記光の一部を散乱させる透光性の散乱部材と、前記散乱部材の周囲に配置されるセードとを備え、前記セードは、前記光出射部の周縁に隣接して配置される下底部を有し、前記散乱部材は、前記下底部における前記光の出射側に隣接して配置される端部を有し、前記端部は、前記光源側から見た場合に、前記下底部の外部に突出する突出部を有する。
【発明の効果】
【０００８】
本発明によれば、散乱部材を含み、散乱部材を着脱して利用可能な照明器具であって、十分な散乱光を出射できる照明器具を提供することができる。
【図面の簡単な説明】
【０００９】
【図１】図１は、実施の形態に係る照明器具の外観斜視図である。
【図２】図２は、実施の形態に係る照明器具の分解斜視図である。
【図３】図３は、実施の形態に係る固定部材、セード及び散乱部材の分解斜視図である。
【図４】図４は、実施の形態に係る固定部材、セード及び散乱部材の組立体の斜視図である。
【図５】図５は、実施の形態に係る固定部材、セード及び散乱部材の組立体の側面図である。
【図６】図６は、実施の形態に係る固定部材、セード及び散乱部材の組立体の断面図である。
【図７】図７は、本実施の形態に係る照明器具の光軸を通る平面による断面図である。
【図８】図８は、本実施の形態に係る照明器具の光軸を通る平面による断面の拡大図である。
【図９】図９は、比較例に係る照明器具の光軸を通る平面による断面の拡大図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、工程（手順）、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態）
［１．全体構成］
まず、実施の形態に係る照明器具１の全体構成について、図面を用いて説明する。
【００１３】
図１は、本実施の形態に係る照明器具１の外観斜視図である。
【００１４】
図２は、本実施の形態に係る照明器具１の分解斜視図である。
【００１５】
図１及び図２に示される照明器具１は、例えばスポットライトとして用いられる。
【００１６】
図２に示されるように、照明器具１は、本体１０、光源２０、光学系３０、固定部材４０、セード５０及び散乱部材６０を備える。本実施の形態では、光学系３０は、光源２０からの光が入射される光入射部、及び、当該光入射部から入射された光を出射する光出射部を有し、反射板３１０及びレンズ３２０から構成される。照明器具１は、図１に示されるように、本体１０、光源２０、反射板３１０、レンズ３２０、固定部材４０、セード５０及び散乱部材６０が、この順で積層されて構成される。
【００１７】
以下、照明器具１における各構成部材について詳細に説明する。
【００１８】
［１−１．本体］
まず、本体１０について説明する。
【００１９】
本実施の形態では、本体１０は、光源２０が取り付けられる取付台である。また、本体１０は、光源２０で発生する熱を放熱するヒートシンクとしても機能する。本体１０は、金属材料を用いて略円柱状に形成され、例えばアルミダイカスト工程を経て形成される。
【００２０】
具体的には、本体１０は、光源２０を取り付けるための取付部を有する。つまり、本体１０は、光源２０を取付部に取り付けることで光源２０を固定する。なお、本体１０に光源２０を固定する構成は、本体１０に光源２０を直接固定する構成に限られない。例えば、本体１０の取付部に放熱部材（ヒートシンク）を介して、光源２０を固定する構成としてもよい。
【００２１】
また、図２に示されるように、本体１０には、光出射方向（図２のＺ軸マイナス方向）と反対側に向かって突出する複数の放熱フィンが設けられている。これにより、光源２０で発生する熱を効率よく放熱させることができる。
【００２２】
また、本実施の形態では、本体１０の外部の電源ボックス（図示せず）から配線を介して直流電力が供給される例を示す。なお、本体１０の内部に電源回路を収納して、外部から交流電力が供給されてもよい。
【００２３】
［１−２．光源］
次に、光源２０について説明する。
【００２４】
光源２０は、例えば発光素子を有する発光モジュールであって、所定の光を放射状に出射するＬＥＤ光源である。光源２０は、例えば白色光を出射するように構成されている。光源２０は、基台と、基台上に実装されたベアチップ（ＬＥＤチップ）である複数のＬＥＤと、それらＬＥＤを封止し、蛍光体を含む封止部材とを備える。なお、本実施の形態では、封止部材は全てのＬＥＤを一括封止しているが、封止部材の構成はこれに限られない。ライン状に配列されたＬＥＤの配列方向に沿って複数本のライン状に封止部材を形成する構成としてもよい。
【００２５】
また、図１及び図２に示される照明器具１において、光源２０の光軸はＺ軸方向である。
【００２６】
光源２０が備える基台は、複数のＬＥＤを実装するための実装基板であって、例えばセラミックス基板、樹脂基板又は絶縁被覆されたメタルベース基板などである。また、当該基台は、例えば平面視において矩形形状である平面を有する板状であり、基台の底面（図２のＺ軸マイナス側の面）が本体１０に取り付けられて固定される。なお、図示しないが、基台には、ＬＥＤを発光させるための直流電力を外部から受電するための一対の電極端子（正電極端子及び負電極端子）が形成されている。
【００２７】
［１−３．反射板］
次に、反射板３１０について説明する。反射板３１０は、反射機能を有し、光源２０からの光が入射する開口である光入射口と、光入射口から入射した光が反射板３１０から出射する開口である光出射口とを有する。なお、本実施の形態では、光入射口は、光学系３０の光入射部である。また、反射板３１０の光出射口には、レンズ３２０が配置される。レンズ３２０を固定するために、反射板３１０の光出射口には、二つの爪部３１２が設けられている。爪部３１２は、弾性変形することによりレンズ３２０を着脱できるように構成されている。なお、爪部３１２の個数は二つ以上であればよい。
【００２８】
反射板３１０は、内径が光入射口から光出射口に向かって漸次大きくなるように構成された円環枠状（漏斗状）であり、例えばポリブチレンテレフタレート（ＰＢＴ）など硬質の白色樹脂材料を用いて形成することができる。
【００２９】
反射板３１０の内周面３１１は、光源２０からの光を反射する反射面となっており、光入射口から入射した光を反射させて光出射口から出射させるように構成されている。
【００３０】
なお、反射板３１０は、アルミニウムなどの金属材料により形成されてもよい。また、反射板３１０は、樹脂により形成され、反射板３１０の内周面３１１に、銀やアルミニウムなどの金属材料からなる金属蒸着膜（金属反射膜）が形成されてもよい。
【００３１】
［１−４．レンズ］
次に、レンズ３２０について説明する。レンズ３２０は、本体１０に固定された光源２０と対向する位置に配置され、光源２０から入射された光を出射するフレネルレンズである。
【００３２】
レンズ３２０は、反射板３１０の光出射口に配置される。また、レンズ３２０の光出射面の周縁には、反射板３１０の爪部３１２と係り合う二つの凹部３２２が形成されており、爪部３１２と凹部３２２とが係り合うことにより、反射板３１０に対してレンズ３２０が固定される。なお、凹部３２２の個数は、二つ以上で、爪部３１２と同じ個数であればよい。また、レンズ３２０の光出射面の周縁には、セード５０がレンズ３２０に対して回転することを抑制するための二つの第一回転抑制部３２１が形成されている。本実施の形態では、第一回転抑制部３２１は、後述するセード５０の第一係合部５１に対応する形状を有する凹部である。なお、第一回転抑制部３２１の個数は、一つ以上であればよいが、以下に述べる理由により、第一回転抑制部３２１が等間隔でより多く配置されているほど、第一係合部５１を第一回転抑制部３２１に挿入し易い。すなわち、第一係合部５１を第一回転抑制部３２１に挿入する際に、ユーザはセード５０をレンズ３２０に押し当てて、光軸を中心として回転させながら、第一係合部５１が第一回転抑制部３２１に挿入される位置を探す。そのため、ユーザは、第一回転抑制部３２１が見えない状態でセード５０を回転させて、第一係合部５１が第一回転抑制部３２１に挿入されることによってセード５０の回転が規制される状態となったことを感知しなければならない。ここで、ユーザが、第一回転抑制部３２１の位置を探す際に、第一回転抑制部３２１の個数が多いほど、当該位置を見つけられるまでにセード５０を回転させる角度をより小さくすることができる。したがって、第一回転抑制部３２１の個数が多いほど、セード５０の第一係合部５１を第一回転抑制部３２１に挿入し易い。
【００３３】
本実施の形態に係るレンズ３２０は、上述のとおり反射板３１０に固定され、レンズ３２０の光入射面（図２でＺ軸マイナス側の面）から入射した光源２０の光を光入射面に対向する光出射面（図２でＺ軸プラス側の面）から出射させる。なお、本実施の形態では、レンズ３２０の光出射面は、光学系３０の光出射部である。
【００３４】
レンズ３２０は、透光性材料を用いて形成されており、例えばＰＭＭＡ（アクリル）、ポリカーボネートなどの透明樹脂材料、又は、ガラス材料などの透明材料を用いて形成することができる。
【００３５】
［１−５．固定部材］
次に、固定部材４０について説明する。固定部材４０は、散乱部材６０及びセード５０を本体１０に固定するための部材である。固定部材４０は、図２に示されるように、略Ｃ字型の形状を有し、散乱部材６０の外周面に沿って配置される。固定部材４０は、弾性部材を用いて形成されており、例えば、鉄などの金属材料を用いて形成することができる。なお、固定部材４０は、弾性を有する樹脂材料などを用いて形成してもよい。固定部材４０は、弾性変形することによって本体１０に対して着脱可能な構成を有する。
【００３６】
固定部材４０は、二つの突出部４１と、二つの取っ手部４２とを備える。突出部４１は、散乱部材６０との相対位置の変動を規制するための部位である。また、取っ手部４２は、固定部材４０を弾性変形させる際にユーザが摘むための部位である。また、取っ手部４２は、固定部材４０が散乱部材６０を把持する機能も有する。
【００３７】
［１−６．セード］
次に、セード５０について説明する。セード５０は、散乱部材６０の周囲の少なくとも一部に配置され、比較的損傷し易い散乱部材６０を保護するための部材である。また、セード５０は、光フィルタなどの他の光学部品を取り付けるための取付台として利用されてもよい。セード５０は、例えば、アルミニウムなどの金属材料、又は、樹脂材料などから構成されてもよい。
【００３８】
セード５０は、略環状の下底部５３及び上底部５５を有し、下底部５３がレンズ３２０の光出射面上に配置される。なお、ここで、「略環状」という形状には、完全な環状だけでなく、環状の形状の一部が欠落したような形状も含まれると定義する。また、下底部５３には、レンズ３２０の第一回転抑制部３２１と係り合う二つの第一係合部５１が設けられている。本実施の形態では、第一係合部５１は、第一回転抑制部３２１に対応する形状の凸部である。これにより、セード５０は、レンズ３２０に対して回転することが抑制される。また、セード５０は、セード５０に対して散乱部材６０が回転することを抑制するための四つの第二回転抑制部５２を備える。本実施の形態では、第二回転抑制部５２は、下底部５３と上底部５５とを接続する柱状の部材である。また、第二回転抑制部５２には、固定部材４０の光軸方向（図２のＺ軸方向）における位置変動を規制するための規制部５４が形成されている。本実施の形態では、規制部５４は、第二回転抑制部５２における光軸から離れる向きに突出する部分であり、セード５０の周囲に取り付けられた固定部材４０が、Ｚ軸のプラス方向に移動することを規制する。
【００３９】
［１−７．散乱部材］
次に、散乱部材６０について説明する。散乱部材６０は、光学系３０の光出射部（すなわち、レンズ３２０の光出射面）の周縁に配置され、かつ、当該光出射部から出射された光の一部を散乱させる透光性の部材である。本実施の形態では、散乱部材６０は、略環状（又は、略円筒状）の形状を有する。散乱部材６０は、入射された光を導光して外周面において散乱させる。本実施の形態では、散乱部材６０の外周面の全周に亘って複数の円環状の突起が形成されている。当該突起は、光学系３０から出射された光の光軸を通る平面における断面形状が略三角形状となるように形成され、当該三角形状の頂点部において特に鋭く光が散乱される。これにより、照明器具１周辺において、散乱光による賑わい感を向上させることができる。
【００４０】
散乱部材６０は、セード５０の第二回転抑制部５２と係り合う四つの第二係合部６５を有する。本実施の形態では、第二係合部６５は、第二回転抑制部５２の形状に対応する切欠部である。なお、第二係合部６５の個数は、四つに限定されない。第二係合部６５は、第二回転抑制部５２と同じ個数だけ設けられればよい。また、散乱部材６０は、固定部材４０の突出部４１と係り合う二つの第三係合部６６を有する。本実施の形態では、第三係合部６６は、突出部４１の形状に対応する切欠部である。また、散乱部材６０は、固定部材４０の取っ手部４２と係り合う二つの第四係合部６７を有する。本実施の形態では、第四係合部６７は、切欠部の二つの端面である。
【００４１】
散乱部材６０は、透光性材料を用いて形成されており、例えばＰＭＭＡ（アクリル）、ポリカーボネートなどの透明樹脂材料、又は、ガラス材料などの透明材料を用いて形成することができる。
【００４２】
なお、散乱部材６０の構造及び機能の詳細については後で詳述する。
【００４３】
［２．照明器具の組立手順］
次に、本実施の形態に係る照明器具１の組立手順について図面を用いて説明する。
【００４４】
図３は、本実施の形態に係る固定部材４０、セード５０及び散乱部材６０の分解斜視図である。
【００４５】
図４は、本実施の形態に係る固定部材４０、セード５０及び散乱部材６０の組立体４の斜視図である。
【００４６】
図５は、本実施の形態に係る固定部材４０、セード５０及び散乱部材６０の組立体４の側面図である。
【００４７】
図６は、本実施の形態に係る固定部材４０、セード５０及び散乱部材６０の組立体４の断面図である。図６は、図５に示される６−６線における矢視断面図である。
【００４８】
図７は、本実施の形態に係る照明器具１の光軸を通る平面による断面図である。
【００４９】
図８は、本実施の形態に係る照明器具１の光軸を通る平面による断面の拡大図である。なお、図８は、図７の点線で囲まれた部分の拡大図である。また、図８には、光源２０から出射された光の経路例も破線の矢印によって示されている。また、図７及び図８には、一点鎖線によって、光源２０から出射された光の光軸が示されている。
【００５０】
まず、光源２０及び光学系３０を本体１０に取り付ける手順について説明する。
【００５１】
光源２０は、図８に示されるように、本体１０の内部に取り付けられる。光源２０の本体１０に対する固定手段は特に限定されないが、光源２０の基台をねじなどによって固定してもよい。
【００５２】
光学系３０を構成する反射板３１０は、その光入射口（すなわち、光学系３０の光入射部３１）が光源２０と対向するように本体１０に対して配置される。反射板３１０の本体１０に対する固定手段は特に限定されないが、本体１０側からねじで固定してもよい。これにより、反射板３１０に入射される光がねじなどの固定手段によって遮断されることを防ぐことができる。
【００５３】
光学系３０を構成するレンズ３２０は、本実施の形態では、反射板３１０を介して本体１０に間接的に取り付けられる。上述したように、レンズ３２０には、凹部３２２が形成されている。そして、凹部３２２に反射板３１０の爪部３１２が係り合うことによって、レンズ３２０が反射板３１０に対して固定される。
【００５４】
次に、固定部材４０、セード５０及び散乱部材６０を本体１０に取り付ける手順について説明する。本実施の形態では、まず、固定部材４０、セード５０及び散乱部材６０から構成される組立体４を組み立ててから、組立体４を本体１０に取り付ける。
【００５５】
図３に示される固定部材４０、セード５０及び散乱部材６０を組み立てる場合、まず、セード５０と散乱部材６０とを組み立てる。具体的には、セード５０に対して、散乱部材６０をＺ軸のマイナス方向に移動させて、セード５０の内側に挿入する。その際、図６に示されるように散乱部材６０の第二係合部６５に、第二回転抑制部５２を嵌める。これにより、散乱部材６０のセード５０に対する回転が抑制される。
【００５６】
次に、固定部材４０をセード５０及び散乱部材６０の外周面に取り付ける。固定部材４０を取り付ける際、ユーザが固定部材４０の二つの取っ手部４２を摘んで、二つの取っ手部４２の間隔を拡げるように弾性変形させながら、セード５０の下底部５３側から取り付ける。そして、図６に示されるように、取っ手部４２が、散乱部材６０の第四係合部６７と係り合うように、かつ、突出部４１が、散乱部材６０の第三係合部６６と係り合うように、固定部材４０をセード５０及び散乱部材６０の外周面に取り付ける。ここで、固定部材４０が外部から力を受けない状態では、二つの取っ手部４２間の距離は、二つの第四係合部６７間の距離より大きくなるように固定部材４０は形成されている。すなわち、取っ手部４２を第四係合部６７に係り合わせた状態では、取っ手部４２が第四係合部６７を弾性力によって押している。これにより、固定部材４０は、散乱部材６０を安定的に把持している。また、固定部材４０を取り付ける際に、固定部材４０が、所定の位置から、図３などに示されるＺ軸方向（光軸方向）にずれることが、セード５０の規制部５４によって規制される。
【００５７】
以上のような手順により、図４及び図５に示されるような固定部材４０、セード５０及び散乱部材６０から構成される組立体４を組み立てることができる。
【００５８】
組立体４において、上述のとおり、固定部材４０は、突出部４１及び取っ手部４２が、散乱部材６０の第三係合部６６及び第四係合部６７にそれぞれ係り合うことによって、散乱部材６０に固定される。また、セード５０は、規制部５４によって、固定部材４０（及び散乱部材６０）のＺ軸のプラス方向への位置変動を規制する。また、セード５０は、下底部５３（図３など参照）が、散乱部材６０のＺ軸のマイナス方向への位置変動を規制する。したがって、組立体４は、一体化されて、互いに相対位置の変動が規制された状態となる。これにより、固定部材４０、セード５０及び散乱部材６０を一括して本体１０に取り付けることができるため、固定部材４０などの本体１０への取付を容易にすることができる。
【００５９】
なお、組立体４を分解する際には、固定部材４０の二つの取っ手部４２の間隔を狭めるように固定部材４０を弾性変形させながら、取っ手部４２を第四係合部６７から散乱部材６０の外側に取り外す。そして、二つの取っ手部４２の間隔を拡げるように固定部材４０を弾性変形させながら、固定部材４０を、セード５０の下底部５３側から取り外す。
【００６０】
次に、組立体４を本体１０に取り付ける手順について図面を用いて説明する。
【００６１】
図８に示されるように、本体１０には、固定部材４０を保持するための保持部１１が形成されている。本実施の形態では、保持部１１は、本体１０の光出射側に設けられ、光軸に向かって突出する周状の突出部である。保持部１１は、その内径が、固定部材４０より小さくなるように形成されている。そのため、組立体４を本体１０に取り付けるためには、固定部材４０の取っ手部４２を摘むなどの方法によって、固定部材４０の外径が保持部１１の内径より小さくなるように弾性変形させた状態で、組立体４を本体１０の内部に挿入させる。ここで、組立体４を構成するセード５０の下底部５３が、光学系３０の光出射部３２（すなわち、レンズ３２０の光出射面）の周縁に接触するまで、組立体４を光源２０方向（Ｚ軸のマイナス方向）に挿入する。また、セード５０の下底部５３を光学系３０の光出射部３２に接触させる際に、セード５０の下底部５３に設けられた第一係合部５１が、レンズ３２０の第一回転抑制部３２１に挿入されるように組立体４の本体１０（すなわち、レンズ３２０）に対する回転角度を調整する。
【００６２】
セード５０の下底部５３が光学系３０の光出射部３２に接触するまで、組立体４を本体１０の内部に挿入した後、弾性変形された固定部材４０の取っ手部４２が、第四係合部６７の所定の位置に係り合うように、固定部材４０の位置を移動させる。そして、弾性変形によって狭められた固定部材４０の外径を基に戻す。これにより、固定部材４０が、本体１０に保持される。すなわち、固定部材４０によって、組立体４の本体１０に対する光軸方向（図８のＺ軸方向）における位置変動が規制される。本実施の形態では、固定部材４０は、保持部１１によって、図８のＺ軸のプラス方向への位置変動が規制される。これにより、組立体４の図８のＺ軸のプラス方向への位置変動が規制される。また、組立体４のＺ軸のマイナス方向への位置変動は、光学系３０に当たることによって規制される。
【００６３】
また、組立体４を本体１０から取り外す際には、取り付けるときと同様に、固定部材４０の取っ手部４２を摘むなどの方法によって、固定部材４０の外径が保持部１１の内径より小さくなるように弾性変形させた状態で、組立体４を本体１０から取り外す。
【００６４】
なお、図８に示されるように、セード５０は、光学フィルタなどの他の素子を取り付けるための取付部５８を有する。本実施の形態では、取付部５８は、セード５０の上底部５５の内面に形成された溝部である。
【００６５】
［３．散乱部材の構造及び機能］
次に、上述した散乱部材６０の詳細な構造及び機能について、図８に示される本実施の形態と、図９に示される比較例とを対比しながら説明する。
【００６６】
図９は、比較例に係る照明器具の光軸を通る平面による断面の拡大図である。図９に示される比較例に係る照明器具は、散乱部材６００の形状において本実施の形態に係る照明器具１の散乱部材６０と異なり、その他の構成は、本実施の形態に係る照明器具１と同様である。また、図９には、破線の矢印によって、光源２０から出射された光の経路例が示されている。
【００６７】
図８などに示されるように、散乱部材６０は略円筒状の形状を有し、光を散乱させるための外周面６１及び光の散乱が抑制される内周面６２を有する。また、散乱部材６０は、セード５０の下底部５３における光源２０からの光の出射側（図８のＺ軸プラス方向）に隣接して配置される端部６３を有する。すなわち、散乱部材６０の端部６３は、セード５０の下底部５３の光出射側の端面５７に接するように配置される。また、端部６３は、下底部５３の光軸と直交する方向における両端面の少なくとも一方から突出する突出部６４を有する。すなわち、端部６３は、光源２０側から見た場合に、下底部５３の外部に突出する突出部６４を有する。本実施の形態では、散乱部材６０は、下底部５３の光軸側の端面５６から光軸に向かって突出する突出部６４を有する。また、本実施の形態では、突出部６４は、下底部５３の端面５７より光源２０側に突出する形状を有する。また、当該突出部６４は、光学系３０の光出射部３２（レンズ３２０の光出射面）と接してもよい。
【００６８】
図８に破線の矢印で示されるように、光源２０から出射された光の一部は、光学系３０の周縁部に達し、散乱部材６０に入射される。散乱部材６０に入射された光は散乱部材６０によって導光されて外周面６１において散乱されながら出射される。なお、散乱部材６０の内周面６２は、外周面６１より光の散乱が抑制されるようになめらかな略円筒面状の形状を有する。これにより、内周面６２から散乱部材６０の内部に光を取り込み易くなる。したがって、外周面６１によって散乱される光量を増大させることができる。
【００６９】
また、本実施の形態では、散乱部材６０がその端部６３に突出部６４を有することにより、光学系３０の周縁から出力された光のうち、散乱部材６０の内部に取り込まれる光の量の割合を向上させることができる。さらに、本実施の形態では、突出部６４は、セード５０の下底部５３の端面５７より光源２０側に突出する形状を有することにより、散乱部材６０の内部に取り込まれる光量をさらに増大させることができる。特に、本実施の形態のように、セード５０が非透光性部材で構成される場合には、突出部６４の効果が顕著となる。また、突出部６４がレンズ３２０の光出射面（光学系３０の光出射部３２）と接するように突出部６４を形成すれば、レンズ３２０から散乱部材６０に直接光が入射されるため、さらに散乱光の量を増大させることができる。
【００７０】
一方、図９に示される比較例に係る照明器具の散乱部材６００においては、その端部６０３に突出部が設けられていない。そのため、図９に破線の矢印で示されるように、光源２０から出射された光のうち、セード５０の下底部５３に照射されて、散乱部材６００に入力されることなく伝播する光の量が、図８に示される本実施の形態より多い。すなわち、比較例に係る散乱部材６００に入射される光の量は、本実施の形態に係る散乱部材６０に入射される光の量より少ない。したがって、本実施の形態では、比較例より散乱部材６０によって散乱される光の量が多くなる。また、セード５０は、一般に、反射率の高い白色に塗装されるが、その反射率は７０％程度である。したがって、セード５０に光が照射される光の３０％程度が失われる。一方、本実施の形態では、光学系３０の周縁部から出射された光のほとんどが、散乱部材６０に入射される。ここで、例えば、散乱部材６０がＰＭＭＡによって形成される場合には、散乱部材６０に入射された光の吸収などによる損失は１％以下であるため、光の出射効率低下が抑制される。
【００７１】
［４．効果など］
以上のように、本実施の形態に係る照明器具１は、所定の光軸２０に沿って光を出射する光源と、光軸上に配置され、光が入射される光入射部３１、及び、光入射部３１から入射された光を出射する光出射部３２を有する光学系３０と、光出射部３２の周縁に配置され、かつ、光出射部３２から出射された光の一部を散乱させる透光性の散乱部材６０と、散乱部材６０の周囲に配置されるセード５０とを備え、セード５０は、光出射部３２の周縁に隣接して配置される下底部５３を有し、散乱部材６０は、下底部５３における光の出射側に隣接して配置される端部６３を有し、端部６３は、光源２０側から見た場合に、下底部５３の外部に突出する突出部６４を有する。
【００７２】
これにより、照明器具１は、散乱部材６０を含み、散乱部材６０を着脱して利用可能であり、かつ、突出部６４から散乱部材６０に光を取り込むことができるため、十分な量の散乱光を出射することができる。
【００７３】
また、照明器具１において、突出部６４は、光軸に向かって突出してもよい。
【００７４】
これにより、散乱部材６０に入射される光量をより増加させることができる。また、散乱部材６０の突出部６４より、セード５０の下底部５３を光軸から離れた位置に配置することができるため、下底部５３に照射されて失われる光量を軽減することができる。すなわち、照明器具１の光出射効率を向上させることができる。
【００７５】
また、照明器具１において、突出部６４は、下底部５３の散乱部材６０側の端面５７より、光源２０側に突出しもよい。
【００７６】
これにより、散乱部材６０に入射される光量をさらに増大させることができる。また、セード５０の下底部５３に照射されて失われる光量を軽減することができる。すなわち、照明器具１の光出射効率を向上させることができる。
【００７７】
また、照明器具１において、突出部６４は、光出射部３２と接してもよい。
【００７８】
これにより、光学系３０から散乱部材６０に直接光が入射されるため、さらに散乱光の量を増大させることができる。また、セード５０の下底部５３に照射されて失われる光量をさらに軽減することができる。すなわち、照明器具１の光出射効率をさらに向上させることができる。
【００７９】
また、照明器具１において、セード５０は、非透光性材料で構成されてもよい。
【００８０】
この場合、セード５０の下底部５３に入射された光がセード５０を透過しないため、本実施の形態に係る照明器具１の突出部６４を備えないとすると、散乱部材６０に入射される光が非常に少なくなる。したがって、セード５０が非透光性材料で構成される場合に、本実施の形態に係る照明器具１の散乱部材６０への光取り込み効果が顕著となる。
【００８１】
（変形例など）
以上、本発明に係る照明装置について、実施の形態に基づいて説明したが、本発明は、上記実施の形態に限定されない。
【００８２】
例えば、上記実施の形態では、光源２０として、ＬＥＤ光源を用いる例を示したが、光源２０として、有機ＥＬ（Ｅｌｅｃｔｒｏ  Ｌｕｍｉｎｅｓｃｅｎｃｅ）光源など他の任意の光源を用いることができる。
【００８３】
例えば、上記実施の形態では、光源２０としてベアチップである複数のＬＥＤが基台に直接実装されたＣＯＢ（Ｃｈｉｐ  Ｏｎ  Ｂｏａｒｄ）型の発光モジュールを採用したが、他の固体発光素子を用いてもよい。例えば、光源として、表面実装（ＳＭＤ：Ｓｕｒｆａｃｅ  Ｍｏｕｎｔ  Ｄｅｖｉｃｅ）型ＬＥＤを基台に実装したＳＭＤ型の発光モジュールを用いてもよい。また、有機ＥＬ素子など他の固体発光素子を用いてもよい。
【００８４】
また、上記実施の形態では、光学系３０として反射板３１０及びレンズ３２０を用いる構成を示したが、光学系３０はこれらに限られない。例えば、反射板３１０だけを用いる構成としてもよいし、ハイブリッドレンズなどを用いる構成としてもよい。
【００８５】
また、上記実施の形態においては、散乱部材６０及びセード５０の形状として、略環状の形状を採用したが、散乱部材６０及びセード５０の形状はこれに限られない。例えば、断面が略Ｃ字型の形状などであってもよい。
【００８６】
また、本実施の形態では、散乱部材６０の突出部６４の形状として、光軸に向かって突出する形状が採用されたが、光源２０からの光を取り込むことができる形状であればよい。例えば光軸から離れる向きに突出してもよい。
【００８７】
また、上記実施の形態において示した、各係合部などの形状は、一例であって、他の形状でもよい。例えば、上記実施の形態では、固定部材４０が、散乱部材６０に取り付けられる構成を用いたが、セード５０に取り付けられる構成とし、それに合わせて、セード５０と散乱部材６０との係り合いを変更してもよい。また、上記実施の形態では、第一係合部５１は、セード５０に設けられたが、散乱部材６０に設けられてもよい。
【００８８】
また、上記実施の形態では、第一回転抑制部３２１は、光学系３０に設けられたが、本体１０に設けられてもよい。
【００８９】
また、上記実施の形態では、第一係合部５１は、セード５０に設けられたが、散乱部材６０に設けられてもよい。
【００９０】
また、上記実施の形態では、固定部材４０が、散乱部材６０を把持する構成としたが、セード５０を把持する構成としてもよい。
【００９１】
また、上記実施の形態では、固定部材４０は、散乱部材６０を弾性的に把持する構成としたが、弾性力以外の手段を用いて散乱部材６０及びセード５０の少なくとも一方を把持する構成としてもよい。例えば、散乱部材６０及びセード５０に凹部を形成し、当該凹部に嵌り合う凸部を固定部材４０に設ける構成としてもよい。
【００９２】
また、上記実施の形態では、固定部材４０の形状として略Ｃ字型の形状を採用したが、固定部材４０の形状はこれに限られない。例えば、固定部材４０の形状を環状とすることもできる。
【００９３】
また、上記実施の形態では、セード５０は非透光性材料から構成されたが、透光性材料から構成されてもよい。ただし、上述のとおり、セード５０が非透光性材料である場合の方が、散乱部材６０の突出部６４の光取り込み効果は顕著である。
【００９４】
また、上記実施の形態では、散乱部材６０及びセード５０の本体１０に対する回転を抑制する構成としたが、回転を許容する構成としてもよい。
【００９５】
また、上記実施の形態において示した、各係合部などの形状は、一例であって、他の形状でもよい。
【００９６】
その他、実施の形態に対して当業者が思いつく各種変形を施して得られる形態、又は、本発明の趣旨を逸脱しない範囲で実施の形態又は変形例における構成要素及び機能を任意に組み合わせることで実現される形態も本発明に含まれる。
【符号の説明】
【００９７】
１  照明器具
２０  光源
３０  光学系
３１  光入射部
３２  光出射部
４１、６４  突出部
５０  セード
５３  下底部
５６、５７  端面
６０、６００  散乱部材
６３、６０３  端部
【図１】
0006551822.tif 000002
【図２】
0006551822.tif 000003
【図３】
0006551822.tif 000004
【図４】
0006551822.tif 000005
【図５】
0006551822.tif 000006
【図６】
0006551822.tif 000007
【図７】
0006551822.tif 000008
【図８】
0006551822.tif 000009
【図９】
0006551822.tif 000010